(57)【特許請求の範囲】
【請求項１】
支持脚が、防水床部の水平レベルの調整が可能なように、この防水床部に対して上下動可能に取り付けられている浴室用防水床部の支持構造において、
上記支持脚を、頭部が上部側に配置され、回転させることにより、上記防水床部に対して上下動可能な支持ボルトと、この支持ボルトにねじ込まれ、最終的にこの支持ボルトの最下部まで下ろされて、この支持ボルトの下端面の面圧を下げる支持ナットとから構成したことを特徴とする浴室用防水床部の支持構造。
【請求項２】
前記支持ボルトの最下部まで下ろされた前記支持ナット周りに、この支持ナットを上記支持ボルト側に固定するとともに、この支持ナットと上記支持ボルトとを、前記防水床部の据付面側に固定する接着剤が塗布されることを特徴とする請求項１記載の浴室用防水床部の支持構造。
【発明の詳細な説明】
【０００１】
【発明の属する技術分野】
この発明は、支持脚が、防水床部の水平レベルの調整が可能なように、この防水床部に対して上下動可能に取り付けられている浴室用防水床部の支持構造に関するものである。
【０００２】
【従来の技術】
一般に、床パンや洗い場付浴槽といった浴室用防水床部の裏面側には、支持部材等を介して、複数の支持脚が取り付けられていて、この支持脚を防水床部に対して上下動することにより、この防水床部の水平レベルの調整がなされる。
【０００３】
この場合、支持脚には、図４で示されるように、回転させることにより上下動できる、ボルトタイプのものが多く使用されている。図４の（ａ）で示される支持脚は、頭部のないボルト１００の下端に円板１０１が取り付けられたものである。この支持脚では、円板１０１により下端の面圧を小さくし、この支持脚の防水床部の据付面内方への食い込みを防止することにより、防水床部の水平レベルに狂いが生じるのを防止している。
【０００４】
また、図４の（ｂ）で示される支持脚は、頭部１０２ａを有する支持ボルト１０２と鉄製の敷板１０３とから構成されており、この支持脚でも、上記の場合と同様に、敷板１０３によって支持ボルト１０２の下端が据付面内方へ食い込むのが防止されている。
【０００５】
さらに、図４の（ｃ）で示される支持脚は、頭部１０４ａを下部側に向けた支持ボルト１０４のみから構成されており、この支持脚でも、頭部１０４ａによって、支持脚の下端が据付面内方へ食い込むのが防止されている。
【０００６】
【発明が解決しようとする課題】
しかしながら、図４の（ａ）で示される支持脚では、ボルト１００に円板１０１を取り付ける必要があるとともに、ボルト１００を回転するために、ボルト１００の上部に特殊な加工（例えば、すり割り加工）を行なう必要があるため、コストがかかりすぎてしまうという問題があった。また、この支持脚では、ボルト１００の回転時に、円板１０１も回転するため、摩擦力が大きくなり、防水床部の水平レベルの調整が容易でないという問題があった。
【０００７】
また、図４の（ｂ）で示される支持脚では、支持ボルト１０２の回転は容易であるが、支持ボルト１０２の下方に、敷板１０３を置くのが容易でなく、かつ、防水床部の据付中等に敷板１０３が支持ボルト１０２からずれ易くて、支持脚の取扱が容易でないという問題があった。
【０００８】
さらに、図４（ｃ）で示される支持脚では、支持ボルト１０４の上部側に、これを回すための特殊な加工が必要になり、その分大幅なコストアップが生じるとともに、支持ボルト１０４の回転時に摩擦抵抗が大きいため、防水床部の水平レベルの調整が容易でないという問題があった。
【０００９】
この発明は、以上の点に鑑み、防水床部の水平レベルの調整が正確かつ容易にできるとともに、支持脚も低コストで、更に、支持脚の取り扱いも容易な浴室用防水床部の支持構造を提供することを目的とする。
【００１０】
【課題を解決するための手段】
この発明の請求項１記載の発明は、支持脚が、防水床部の水平レベルの調整が可能なように、この防水床部に対して上下動可能に取り付けられている浴室用防水床部の支持構造において、支持脚を、頭部が上部側に配置され、回転させることにより、防水床部に対して上下動可能な支持ボルトと、この支持ボルトにねじ込まれ、最終的にこの支持ボルトの最下部まで下ろされて、この支持ボルトの下端面の面圧を下げる支持ナットとから構成したことである。
【００１１】
この発明では、防水床部の水平レベルの調整を行なう場合には、支持ナットを支持ボルトの下端面からやや上方の位置にねじ込んだ状態で、支持ボルトを上部側の頭部を回転させつつ上下動する。この場合、支持ボルトの下端面のみが、防水床部の据付面に接するため、接触面積が小さくなって、支持ボルトには比較的小さな摩擦力しか生じないとともに、頭部が上部側に配置されるため、支持ボルトの回転も容易である。また、防水床部の水平レベルの調整後は、支持ナットを支持ボルトの下端面側に移動させて、支持ナットの下面側にも荷重を支持させ、支持脚の下端の面圧を小さくして、支持脚の据付面側への食い込みを防止する。また、この発明では、支持脚を、特殊加工を施す必要のない市販のボルトとナットとから構成できるため、支持脚も低コストなものですますことができる。
【００１２】
この発明の請求項２記載の発明は、請求項１記載の発明の場合において、支持ボルトの最下部まで下ろされた支持ナット周りに、この支持ナットを支持ボルト側に固定するとともに、この支持ナットと支持ボルトとを、防水床部の据付面側に固定する接着剤が塗布されることである。
【００１３】
この発明では、振動等が生じても、支持ナットが移動して、支持脚下端の面圧が変動したり、支持脚が据付面から移動することはない。したがって、後日、防水床部の水平レベルが狂ったり、この防水床部が移動して、位置が狂ってしまうこともない。
【００１４】
【発明の実施の形態】
以下、この発明の実施の形態を図面を参照しつつ説明する。
図１は浴室用の防水床部である洗い場付浴槽の外観斜視図であり、図２はこの発明の一実施の形態に係る洗い場付浴槽の支持構造等を示す図である。
【００１５】
洗い場付浴槽１は、浴槽Ｙと洗い場Ａとを、例えば、ＦＲＰ材によって一体的に形成し、浴室形成の容易化と水漏れの防止等を図るものである。この洗い場付浴槽１には、図１で示されるように、凹状の湯溜め部１０の上縁部外方に、平らなカウンター部１１が形成され、湯溜め部１０の長手方向に沿って、カウンター部１１の横に、排水孔１２ａを有した平らな洗い場床１２が一段低い状態で形成されている。そして、洗い場床１２の後端側に、カウンター部１１を延長させるように、小物置台１３が形成され、カウンター部１１および小物置台１３と洗い場床１２とを上下方向に接続するように、エプロン部１４が形成されている。そして、カウンター部１１、小物置台１３、および洗い場床１２の外端部に、壁パネル（図示せず）を取り付けるための壁載せ部１５が形成されている。
【００１６】
なお、浴槽Ｙは、例えば、湯溜め部２０とカウンター部２１とから構成され、洗い場Ａは、洗い場床１２と、小物置台１３と、エプロン部１４とから構成される。
【００１７】
洗い場付浴槽１の裏面側には、図２で示されるように、洗い場床１２の排水孔１２ａに接続されるように排水トラップ２が取り付けられているとともに、湯溜め部１０の排水孔（図示せず）に接続されるように排水エルボ３が取り付けられていて、この排水エルボ３と排水トラップ２とが排水配管４によって接続されている。また、洗い場付浴槽１の裏面側には、湯溜め部１０と洗い場床１２とを連結して、この洗い場付浴槽１に剛性を持たせる一対の補強材５が取り付けられている。なお、補強材５は湯溜め部１０の底部と洗い場床１２の裏面との段差を吸収するように、段状に形成されている。
【００１８】
さらに、洗い場付浴槽１の裏面側には、図２で示されるように、この洗い場付浴槽１の支持構造を形成する支持架台６が取り付けられている。この支持架台６は、洗い場付浴槽１の湯溜め部１０と洗い場床１２との裏面にボルト等により取り付けられる一対の支持部材６０，６１と、この支持部材６０，６１の両端部に、これらを接続するように取り付けられる一対の補強部材６２と、支持部材６０，６１の両端に、この支持部材６０，６１に対して、上下に移動可能に取り付けられる４つの支持脚６３と、この支持脚６３を支持部材６０，６１側に固定させるための固定ナット６４（図１参照）およびロックナット６５とから構成されている。
【００１９】
支持脚６３は、図１や図２で示されるように、頭部Ｈ１を上部側にして、支持部材６０，６１側に取り付けられる支持ボルト６３ａに、支持ナット６３ｂを螺合させたものである。固定ナット６４は、図３の（ａ）で示されるように、例えば、支持部材６０の裏面側の、取付孔６０ａ周りに溶着されており、この取付孔６０ａを介して、ねじ込まれた支持ボルト６３ａを、支持部材６０側に上下動可能に支持させるものである。
【００２０】
つぎに、洗い場付浴槽１を据え付ける場合の、支持脚６３等の作用・効果について、図３等を参照しつつ説明する。なお、以下支持部材６０側の支持脚６３について説明するが、支持部材６１側の支持脚６３についても同様である。
【００２１】
まず、裏面側に支持架台６の取り付けられた洗い場付浴槽１を、所定の据付面Ｓ上に据え付ける。この場合、図３の（ａ）で示されるように、支持脚６３の支持ナット６３ｂを、支持ボルト６３ａの下端面Ｈ２よりやや上方にねじ込んでおく。また、ロックナット６５を緩めて、支持ボルト６３ａが自由に回転できるようにしておく。
【００２２】
つづいて、支持脚６３を上下動して、洗い場付浴槽１の水平レベルの調整を行なう。この場合、水平レベルの調整は、支持ボルト６３ａを回転させつつなされるが、支持脚６３と据付面Ｓとは、支持ボルト６３ａの下端面Ｈ２でのみ接しているため、支持ボルト６３ａに係る摩擦抵抗は比較的小さなものとなり、支持ボルト６３ａは楽に回転される。また、この場合、支持ボルト６３ａは、頭部Ｈ１が上部側に配置されているため、工具等によって楽に回転される。
【００２３】
洗い場付浴槽１の水平レベルの調整が終了すると、図３の（ｂ）で示されるように、ロックナット６５を支持部材６０側に締め付けて、支持ボルト６３ａを支持部材６０側に固定するとともに、支持ナット６３ｂを支持ボルト６３ａの下端面Ｈ２側まで下げ、支持ボルト６３ａの下端面Ｈ２に作用している荷重を、支持ナット６３ｂの下面側にも負担させる。このことにより、支持脚６３の下面の面圧が小さくなり、この支持脚６３が、コンクリートや木材から構成される据付面Ｓ内に食い込んで、洗い場付浴槽１の水平レベルに狂いが生じることはなくなる。
【００２４】
つぎに、図３の（ｃ）で示されるように、支持脚６３の支持ナット６３ｂ周りに接着剤Ｐを塗布して、支持ナット６３ｂを支持ボルト６３ａ側に固定するとともに、この支持脚６３（支持ボルト６３ａおよび支持ナット６３ｂ）を据付面Ｓ側に固定すれば、この洗い場付浴槽１の据え付け作業は終了する。なお、この後、洗い場付浴槽１の壁載せ部１５上に壁パネル（図示せず）等を取り付けていけば、浴室が形成される。
【００２５】
以上のように、この洗い場付浴槽１の支持構造では、支持脚６３を支持ボルト６３ａと支持ナット６３ｂとから構成し、洗い場付浴槽１の据え付け手順に合わせて、支持ナット６３ｂを支持ボルト６３ａに対して上下動させているため、洗い場付浴槽１の水平レベルの調整が、後に狂うことなく正確に、かつ、容易になされる。この場合、支持脚６３には、市場に流通する一般のボルト・ナットを使用でき、かつ、このボルト・ナットに特殊な加工を施す必要もないため、支持脚６３も低コストなものですますことができる。また、この場合、支持ボルト６３ａと支持ナット６３ｂとを回転させるだけで、洗い場付浴槽１の据え付けができるため、この支持脚６３の取り扱いも容易である。
【００２６】
また、この洗い場付浴槽１の支持構造では、最終的に支持脚６３の支持ナット６３ｂ周りに接着剤Ｐを塗布するようにしているため、振動等により、支持ナット６３ｂが移動したり、支持脚６３が移動して、洗い場付浴槽１の水平レベルが狂ったり、洗い場付浴槽１の位置が狂ってしまうこともない。
【００２７】
なお、上記実施の形態では、洗い場付浴槽１について説明したが、浴室用防水床部が、例えば、浴槽が別体となっている床パンであっても、この支持構造に関して同様な効果を得ることができる。
【００２８】
【発明の効果】
この発明は、以上のように構成されているので、以下に記載されるような効果を奏する。
【００２９】
この発明の請求項１記載の発明によれば、支持脚が、防水床部の水平レベルの調整が可能なように、この防水床部に対して上下動可能に取り付けられている浴室用防水床部の支持構造において、支持脚を、頭部が上部側に配置され、回転させることにより、防水床部に対して上下動可能な支持ボルトと、この支持ボルトにねじ込まれ、最終的にこの支持ボルトの最下部まで下ろされて、この支持ボルトの下端面の面圧を下げる支持ナットとから構成したので、防水床部の水平レベルの調整が正確かつ容易にできるとともに、支持脚も低コストなものですますことができ、更に、支持脚の取り扱いも容易である。
【００３０】
この発明の請求項２記載の発明によれば、請求項１記載の発明の場合において、支持ボルトの最下部まで下ろされた支持ナット周りに、この支持ナットを支持ボルト側に固定するとともに、この支持ナットと支持ボルトとを、防水床部の据付面側に固定する接着剤が塗布されるので、据え付け後に、防水床部に狂いが生じてしまうことはない。
【図面の簡単な説明】
【図１】据え付けられた状態の洗い場付浴槽の外観斜視図である。
【図２】この発明の一実施の形態に係る洗い場付浴槽の支持構造等を示す図である。
【図３】洗い場付浴槽の据え付け時における支持脚等の状態を示す図であり、（ａ）は水平レベルの調整中の状態を示し、（ｂ）は水平レベルの調整後の状態を示し、（ｃ）は最終的状態を示している。
【図４】従来の支持脚を示す図である。
【符号の説明】
１    洗い場付浴槽（防水床部）
６３    支持脚
６３ａ  支持ボルト
６３ｂ  支持ナット
Ｈ１  頭部
Ｈ２  下端面
Ｐ    接着剤
【図１】
0003541536.tif 000002
【図２】
0003541536.tif 000003
【図３】
0003541536.tif 000004
【図４】
0003541536.tif 000005